(57)【要約】  吸気通路（３０）は、スロットルバルブが配設され、気筒列方向の一側から他側に向かって延びる主吸気通路（３０Ａ）と、ＥＧＲバルブ（５４）が配設され、かつ主吸気通路のうちスロットルバルブに対して他側に位置する部分に接続されたバイパス通路（４０）と、を有する。バイパス通路は、主吸気通路との分岐部（３３ｄ）から一側に向かって延びた後、他側に向かって折り返して延びるよう構成され、ＥＧＲバルブは、バイパス通路において他側に向かって延びる部分のうち、分岐部から一側に向かって延びる部分に対してオーバーラップする部位に配置されている。
2019038920.tif 000002
【特許請求の範囲】
【請求項１】
燃焼室に接続された吸気通路と、前記吸気通路に設けられたスロットルバルブと、を備えたエンジンの吸気システムであって、
前記吸気通路は、前記スロットルバルブが配設され、所定方向の一側から他側に向かって延びる第１通路部と、所定の第２バルブが配設され、かつ前記第１通路部のうち前記スロットルバルブに対して前記他側に位置する部分に接続された第２通路部と、を有し、
前記第２通路部は、前記第１通路部との接続箇所から前記一側に向かって延びた後、該一側から前記他側に向かって折り返して延びるよう構成され、
前記第２バルブは、前記第２通路部において前記他側に向かって延びる部分のうち、前記接続箇所から前記一側に向かって延びる部分に対して前記所定方向においてオーバーラップする部位に配置されている
ことを特徴とするエンジンの吸気システム。
【請求項２】
請求項１に記載されたエンジンの吸気システムにおいて、
前記第２通路部は、
前記第１通路部に接続され、かつ該接続箇所から離間するに伴って前記他側から前記一側に向かうように延びる中継通路部と、
前記中継通路部における前記一側の端部に接続され、前記他側に向かって延びる並列通路部と、を有し、
前記中継通路部は、該中継通路部における中心軸方向が、前記第１通路部における中心軸方向と、前記並列通路部における中心軸方向との双方に対して鋭角となるように構成されている
ことを特徴とするエンジンの吸気システム。
【請求項３】
請求項１又は２に記載されたエンジンの吸気システムにおいて、
前記第１通路部における前記スロットルバルブの下流には過給機が配設され、
前記第１通路部と前記第２通路部との接続箇所は、前記所定方向において、前記スロットルバルブと、前記過給機におけるガスの吸入部との間に配置されている
ことを特徴とするエンジンの吸気システム。
【請求項４】
請求項３に記載されたエンジンの吸気システムにおいて、
前記第２バルブは、前記所定方向において前記スロットルバルブと前記過給機との間に配置されている
ことを特徴とするエンジンの吸気システム。
【請求項５】
請求項１〜４のいずれか１項に記載されたエンジンの吸気システムにおいて、
前記燃焼室に接続された排気通路と、前記吸気通路とに接続されたＥＧＲ通路を備え、
前記ＥＧＲ通路は、前記吸気通路における前記第２通路部に接続されているとともに、前記第２バルブは、前記ＥＧＲ通路を介したガスの還流量を調整するためのＥＧＲバルブとして構成されている
ことを特徴とするエンジンの吸気システム。
【請求項６】
請求項５に記載されたエンジンの吸気システムにおいて、
前記第２バルブは、前記第２通路部における前記一側の端部に配置されている
ことを特徴とするエンジンの吸気システム。
【請求項７】
請求項５又は６に記載されたエンジンの吸気システムにおいて、
前記第２通路部は、前記第１通路部に対して上方に配置されている
ことを特徴とするエンジンの吸気システム。
【請求項８】
燃焼室に接続された吸気通路と、前記吸気通路に設けられたスロットルバルブ及び過給機と、を備えたエンジンの吸気システムであって、
前記吸気通路は、
前記スロットルバルブが配設され、水平方向の一側から他側に向かって延びる第１通路部と、
前記第１通路部において前記スロットルバルブの下流から分岐すると共に、前記他側から前記一側に向かって延びた後、該一側から前記他側へ向かうように折り返して延びる第２通路部と、
前記第２通路部に配設された所定の第２バルブと、を有し、
前記第２通路部は、車高方向において前記第１通路部の上方に位置すると共に、前記第２バルブは、水平方向において前記スロットルバルブと前記過給機との間に配置され、
前記第２通路部のうち前記他側から前記一側に向かって延びる部位は、上下方向において、前記第１通路部と前記第２バルブとの間を通るように延びている
ことを特徴とするエンジンの吸気システム。
【発明の詳細な説明】
【技術分野】
【０００１】
ここに開示する技術は、エンジンの吸気システムに関する。
【背景技術】
【０００２】
特許文献１には、エンジンの吸気システムの一例が開示されている。具体的に、この特許文献１には、燃焼室に接続された吸気通路と、その吸気通路に設けられたスロットルバルブ（第１吸気絞り弁）と、を備えた内燃機関の吸気通路構造において、吸気通路に対して、所定の第２バルブ（流路開閉弁）が配設されるよう構成された第２通路部（迂回路）を接続することが記載されている。
【先行技術文献】
【特許文献】
【０００３】
【特許文献１】特開２０１１−１８８６号公報
【発明の概要】
【発明が解決しようとする課題】
【０００４】
ところで、吸気通路のうちスロットルバルブが配設される部分を第１通路部と呼称すると、前記特許文献１に記載されたようなエンジンにおいては、レイアウト性の確保などの観点から、第１通路部と第２通路部とが略平行になるように、各通路の少なくとも一部を、気筒列方向の一側から他側に向かって延ばす場合がある。【０００５】
ところが、前記特許文献１に記載されているように、第１通路部ばかりでなく、第２通路部にも第２バルブを設ける場合がある。ここで、エンジンの具体的な構成や、その性能要求次第では、前述の気筒列方向に沿って延ばした部位に第２バルブを配設する可能性がある。近年、そうしたエンジンにおいて、そのコンパクト化という観点から、スロットルバルブと第２バルブとを可能な限り近接させることが要求されている。【０００６】
本願発明者らは、鋭意検討を重ねた結果、より一層コンパクトな構成を見出した。【０００７】
ここに開示する技術は、かかる点に鑑みてなされたものであり、その目的とするところは、第２通路部及び第２バルブを備えたエンジンの吸気システムにおいて、より一層のコンパクト化を図ることにある。
【課題を解決するための手段】
【０００８】
ここに開示する技術は、燃焼室に接続された吸気通路と、前記吸気通路に設けられたスロットルバルブと、を備えたエンジンの吸気システムに係る。【０００９】
前記吸気通路は、前記スロットルバルブが配設され、所定方向の一側から他側に向かって延びる第１通路と、所定の第２バルブが配設され、かつ前記第１通路部のうち前記スロットルバルブに対して前記他側に位置する部分に接続された第２通路部と、を有する。【００１０】
前記第２通路部は、前記第１通路部との接続箇所から前記一側に向かって延びた後、該一側から前記他側に向かって折り返して延びるよう構成される。【００１１】
そして、前記第２バルブは、前記第２通路部において前記他側に向かって延びる部分のうち、前記接続箇所から前記一側に向かって延びる部分に対して前記所定方向においてオーバーラップする部位に配置されている。【００１２】
この構成によれば、第２通路部は、前記所定方向において、一旦、スロットルバルブとの接続箇所から一側に向かって延びた後、折り返して、一側から他側に向かって延びている。そうすると、その接続箇所とスロットルバルブとの相対位置関係を考慮すると、第２通路部において他側に向かって延びる部分のうち、一側に向かって延びる部分に対してオーバーラップする部位は、所定方向においてスロットルバルブに対して近接するようになる。よって、そうした部位に第２バルブを配置することで、他側に向かって延びる部分に第２バルブを配置しながらも、第２バルブとスロットルバルブとを所定方向において近接させることが可能になる。【００１３】
こうして、エンジンの吸気システムにおいて、スロットルバルブと第２バルブとを可能な限り近接させ、ひいては、より一層のコンパクト化を図ることができる。【００１４】
また、前記第２通路部は、前記第１通路部に接続され、かつ該接続箇所から離間するに伴って前記他側から前記一側に向かうように延びる中継通路部と、前記中継通路部における前記一側の端部に接続され、前記他側に向かって延びる並列通路部と、を有し、前記中継通路部は、該中継通路部における中心軸方向が、前記第１通路部における中心軸方向と、前記並列通路部における中心軸方向との双方に対して鋭角となるように構成されている、としてもよい。【００１５】
ここで、「中心軸」方向は、各部において、幾何学的な意味での中心に沿う方向（例えば、各部横断面の中央部に垂直な方向）としてもよいし、ガスの主流が成す方向としてもよい。「中心軸」の語は、広義で用いる。【００１６】
こうした構成とすることで、エンジンの吸気システムにおいて、スロットルバルブと第２バルブとを可能な限り近接させ、ひいては、より一層のコンパクト化を図る上で有利になる。【００１７】
また、前記第１通路部における前記スロットルバルブの下流には過給機が配設され、前記第１通路部と前記第２通路部との接続箇所は、前記所定方向において、前記スロットルバルブと、前記過給機におけるガスの吸入部との間に配置されている、としてもよい。【００１８】
また、前記第２バルブは、前記所定方向において前記スロットルバルブと前記過給機との間に配置されている、としてもよい。【００１９】
過給機を設けるときには、ガスの応答性を高めるべく、スロットルバルブから過給機の吸入部へ至る流路長を可能な限り短くすることが求められる。そうした要求を満足するためには、吸気システムのレイアウトに工夫を凝らし、過給機とスロットルバルブとを近接させることが考えられるものの、そのような構成を実現するためには、第２バルブと過給機との干渉を抑制することが求められる。【００２０】
この構成によれば、所定方向において、スロットルバルブと過給機との間に第２バルブを配置することができる。このことは、第２バルブと過給機とを干渉させないようにする上で有効である。【００２１】
すなわち、前記の構成によると、スロットルバルブと第２バルブとを可能な限り近接させることができるから、スロットルバルブと過給機とを近接させようとしたときに、過給機と第２バルブとの干渉を抑制することができる。これにより、スロットルバルブから過給機の吸入部へ至る流路長を短く構成し、ひいてはガスの応答性を高めることができる。【００２２】
また、前記燃焼室に接続された排気通路と、前記吸気通路とに接続されたＥＧＲ通路を備え、前記ＥＧＲ通路は、前記吸気通路における前記第２通路部に接続されているとともに、前記第２バルブは、前記ＥＧＲ通路を介したガスの還流量を調整するためのＥＧＲバルブとして構成されている、としてもよい。【００２３】
さらに、前記第２バルブは、前記第２通路部における前記一側の端部に配置されている、としてもよい。【００２４】
ここで、外部ＥＧＲガスを利用してエンジンを運転する場合、その応答性を高めるためには、スロットルバルブからＥＧＲバルブへ至る流路長を可能な限り短くすることが求められる。【００２５】
対して、前記の構成は、スロットルバルブと、ＥＧＲバルブとしての第２バルブとを可能な限り近接させることができる。これにより、スロットルバルブからＥＧＲバルブへ至る流路長を可能な限り短く構成し、ひいては外部ＥＧＲガスの応答性を高めることができる。【００２６】
特に、第２バルブをＥＧＲバルブとした構成において、前述のように、第１通路部に過給機を設けた場合、例えば過給時には第１通路部を介して燃焼室へガスを導く一方、自然吸気時には第２通路部を介して燃焼室へガスを導くことが可能になる。【００２７】
また、前記第２通路部は、前記第１通路部に対して上方に配置されている、としてもよい。【００２８】
前述のように、第２通路部にはＥＧＲ通路が接続されている。よって、第２通路部を第１通路部に対して下方に配置した構成と比較して、外部ＥＧＲガスに含まれる凝縮水を燃焼室までスムースに導くことが可能になる。【００２９】
ここに開示する別の技術は、燃焼室に接続された吸気通路と、前記吸気通路に設けられたスロットルバルブ及び過給機と、を備えたエンジンの吸気システムに係る。【００３０】
前記吸気通路は、前記スロットルバルブが配設され、水平方向の一側から他側に向かって延びる第１通路部と、前記第１通路部において前記スロットルバルブの下流から分岐すると共に、前記他側から前記一側に向かって延びた後、該一側から前記他側へ向かうように折り返して延びる第２通路部と、前記第２通路部に配設された所定の第２バルブと、を有する。【００３１】
前記第２通路部は、車高方向において前記第１通路部の上方に位置すると共に、前記第２バルブは、水平方向において前記スロットルバルブと前記過給機との間に配置される。【００３２】
前記第２通路部のうち前記他側から前記一側に向かって延びる部位は、上下方向において、前記第１通路部と前記第２バルブとの間を通るように延びている。【００３３】
ここで、「水平方向」とは、水平面に沿う方向を示す。【００３４】
この構成によれば、エンジンの吸気システムにおいて、スロットルバルブと第２バルブとを水平方向において可能な限り近接させ、ひいては、より一層コンパクトな構成とすることが可能になる。
【発明の効果】
【００３５】
以上説明したように、前記のエンジンの吸気システムによると、より一層のコンパクト化を図ることが可能になる。
【図面の簡単な説明】
【００３６】
【図１】図１は、エンジンの構成を例示する概略図である。
【図２】図２は、エンジンを正面から見て示す図である。
【図３】図３は、エンジンを上側から見て示す図である。
【図４】図４は、吸気通路におけるガスの流れを過給時と自然吸気時とで比較して示す図である。
【図５】図５は、吸気通路を正面から見て示す図である。
【図６】図６は、吸気通路を左側から見て示す図である。
【図７】図７は、吸気通路を上側から見て示す図である。
【図８】図８は、吸気通路の縦断面図である。
【図９】図９は、吸気通路の横断面図である。
【図１０】図１０は、ＥＧＲ通路を左側から見て示す図である。
【図１１】図１１は、ＥＧＲ通路を上側から見て示す図である。
【図１２】図１２は、ＥＧＲ通路の下流端部を斜め後側から見て示す図である。
【図１３】図１３は、吸気通路におけるＥＧＲガスの流れを過給時と自然吸気時とで比較して示す図である。
【発明を実施するための形態】
【００３７】
以下、エンジンの吸気システムの実施形態を図面に基づいて詳細に説明する。なお、以下の説明は例示である。図１は、ここに開示するエンジンの吸気システムが適用されたエンジン１の構成を例示する概略図である。また、図２は、エンジン１を正面から見て示す図であり、図３は、エンジン１を上側から見て示す図である。
【００３８】
エンジン１は、四輪の自動車に搭載される４ストローク式の内燃機関であり、図１〜図３に示すように、機械式の過給機（いわゆるスーパーチャージャ）３４を備えた構成とされている。エンジン１の燃料は、この構成例においてはガソリンである。
【００３９】
また、エンジン１は、詳細な図示は省略するが、列状に配置された４つのシリンダ（気筒）１１を備えており、４つのシリンダ１１が車幅方向に沿って並ぶような姿勢で搭載される、いわゆる直列４気筒の横置きエンジンとして構成されている。これにより、この構成例においては、４つのシリンダ１１の配列方向（気筒列方向）であるエンジン前後方向が車幅方向と略一致していると共に、エンジン幅方向が車両前後方向と略一致している。
【００４０】
なお、直列多気筒エンジンにおいては、気筒列方向と、機関出力軸としてのクランクシャフト１５の中心軸方向（機関出力軸方向）とが一致する。以下の記載では、これらの方向を気筒列方向（又は車幅方向）と総称する場合がある。なお、気筒列方向は、「所定方向」の一例であるとともに、この構成例においては水平面に沿う方向（水平方向）を例示している。
【００４１】
以下、特に断らない限り、前側とは車両前後方向の前側を指し、後側とは車両前後方向の後側を指し、左側とは車幅方向の一方側（気筒列方向の一方側であり、エンジンリヤ側）を指し、右側とは車幅方向の他方側（気筒列方向の他方側であり、エンジンフロント側）を指す。
【００４２】
また、以下の記載において、上側とはエンジン１を車両に搭載した状態（以下、「車両搭載状態」ともいう）における車高方向の上側を指し、下側とは車両搭載状態における車高方向の下側を指す。
【００４３】
（エンジンの概略構成）
この構成例において、エンジン１は、前方吸気・後方排気式に構成されている。つまり、エンジン１は、４つのシリンダ１１を有するエンジン本体１０と、エンジン本体１０の前側に配置され、吸気ポート１８を介して各シリンダ１１に連通する吸気通路３０と、エンジン本体１０の後側に配置され、排気ポート１９を介して各シリンダ１１に連通する排気通路５０と、を備えている。
【００４４】
この構成例では、吸気通路３０は、ガスを導く複数の通路と、過給機３４やインタークーラ３６等の装置と、これらの装置を迂回して燃焼室１６に通じるエアバイパス通路（以下、単に「バイパス通路」という）４０とが組み合わされてユニット化された吸気装置を構成している。この吸気装置は、吸気通路３０やスロットルバルブ３２、そしてＥＧＲ通路５２と共に、本実施形態に係る吸気システムを構成している。
【００４５】
エンジン本体１０は、吸気通路３０から供給されたガスと燃料との混合気を、各シリンダ１１内で、所定の燃焼順に従って燃焼させるように構成されている。具体的に、エンジン本体１０は、シリンダブロック１２と、その上に載置されるシリンダヘッド１３とを有している。
【００４６】
シリンダブロック１２の内部には、前述の４つのシリンダ１１が形成されている。４つのシリンダ１１は、クランクシャフト１５の中心軸方向（つまり、気筒列方向）に沿って列を成すように並んでいる。なお、図１では、１つのシリンダのみを示す。
【００４７】
各シリンダ１１内には、ピストン１４が摺動自在に挿入されている。ピストン１４は、コネクティングロッド１４１を介してクランクシャフト１５に連結されている。ピストン１４は、シリンダ１１及びシリンダヘッド１３と共に燃焼室１６を区画する。なお、ここでいう「燃焼室」は、ピストン１４が圧縮上死点に至ったときに形成される空間の意味に限定されない。「燃焼室」の語は広義で用いる。
【００４８】
シリンダヘッド１３には、１つのシリンダ１１につき、２つの吸気ポート１８が形成されている。図１には、１つの吸気ポート１８のみを示す。２つの吸気ポート１８は、気筒列方向に隣接しており、それぞれ対応するシリンダ１１に連通している。
【００４９】
２つの吸気ポート１８には、それぞれ吸気バルブ２１が配設されている。吸気バルブ２１は、燃焼室１６と各吸気ポート１８との間を開閉する。吸気バルブ２１は、吸気動弁機構によって所定のタイミングで開閉する。
【００５０】
吸気動弁機構は、この構成例においては、図１に示すように、可変動弁機構である吸気電動Ｓ−ＶＴ（Sequential-Valve Timing）２３を有している。吸気電動Ｓ−ＶＴ２３は、吸気カムシャフトの回転位相を所定の角度範囲内で連続的に変更するよう構成されている。それによって、吸気バルブ２１の開弁時期及び閉弁時期は、連続的に変化する。なお、吸気動弁機構は、吸気電動Ｓ−ＶＴ２３に代えて、液圧式のＳ−ＶＴを有していてもよい。
【００５１】
シリンダヘッド１３にはまた、１つのシリンダ１１につき、２つの排気ポート１９が形成されている。図１には、１つの排気ポート１９のみを図示する。２つの排気ポート１９は、気筒列方向に隣接しており、それぞれ対応するシリンダ１１に連通している。
【００５２】
２つの排気ポート１９には、それぞれ排気バルブ２２が配設されている。排気バルブ２２は、燃焼室１６と各排気ポート１９との間を開閉する。排気バルブ２２は、排気動弁機構によって所定のタイミングで開閉する。
【００５３】
排気動弁機構は、この構成例においては、図１に示すように、可変動弁機構である排気電動Ｓ−ＶＴ（Sequential-Valve Timing）２４を有している。排気電動Ｓ−ＶＴ２４は、排気カムシャフトの回転位相を所定の角度範囲内で連続的に変更するよう構成されている。それによって、排気バルブ２２の開弁時期及び閉弁時期は、連続的に変化する。なお、排気動弁機構は、排気電動Ｓ−ＶＴ２４に代えて、液圧式のＳ−ＶＴを有していてもよい。
【００５４】
シリンダヘッド１３には、シリンダ１１毎にインジェクタ６が取り付けられている。インジェクタ６は、この構成例においては多噴口型の燃料噴射弁であり、燃焼室１６の中に燃料を直接噴射するよう構成されている。
【００５５】
インジェクタ６には、燃料供給システム６１が接続されている。燃料供給システム６１は、燃料を貯留するよう構成された燃料タンク（不図示）と、燃料タンクとインジェクタ６とを互いに連結する燃料供給路６２とを備えている。燃料供給路６２には、燃料ポンプ６５とコモンレール６４とが介設している。燃料ポンプ６５は、コモンレール６４に燃料を圧送する。燃料ポンプ６５は、この構成例においては、クランクシャフト１５によって駆動されるプランジャー式のポンプである。コモンレール６４は、燃料ポンプ６５から圧送された燃料を、高い燃料圧力で蓄えるよう構成されている。インジェクタ６が開弁すると、コモンレール６４に蓄えられていた燃料が、インジェクタ６の噴口から燃焼室１６の中に噴射される。
【００５６】
シリンダヘッド１３には、シリンダ１１毎に点火プラグ２５が取り付けられている。点火プラグ２５は、その先端が燃焼室１６の中に臨むような姿勢で取り付けられており、燃焼室１６の中の混合気に対して強制的に点火をする。
【００５７】
吸気通路３０の説明に戻ると、この構成例における吸気通路３０は、エンジン本体１０の一側面（具体的には、前側の側面）に接続されており、各シリンダ１１の吸気ポート１８に連通している。すなわち、吸気通路３０は、燃焼室１６に導入されるガスが流れる通路であり、各吸気ポート１８を介して燃焼室１６に接続されている。
【００５８】
ここで、吸気通路３０の上流端部には、新気を濾過するエアクリーナ３１が配設されている。対して、吸気通路３０の下流端近傍には、サージタンク３８が配設されている。サージタンク３８よりも下流の吸気通路３０は、シリンダ１１毎に２本ずつ分岐する独立通路３９を構成している。独立通路３９の下流端が、各シリンダ１１の吸気ポート１８に接続されている。
【００５９】
吸気通路３０におけるエアクリーナ３１とサージタンク３８との間には、スロットルバルブ３２が配設されている。スロットルバルブ３２は、その開度を調整することによって、燃焼室１６に導入する新気の量を調整するよう構成されている。
【００６０】
吸気通路３０において、スロットルバルブ３２の下流には過給機３４が配設されている。過給機３４は、燃焼室１６に導入するガスを過給するよう構成されている。この構成例において、過給機３４は、エンジン１（具体的には、クランクシャフト１５から伝達される動力）によって駆動される機械式の過給機である。この過給機３４は、ルーツ式のスーパーチャージャとして構成されているものの、その構成は、どのようなものであってもよい。例えば、リショルム式や遠心式のスーパーチャージャとしてもよい。
【００６１】
過給機３４とクランクシャフト１５との間には電磁クラッチ３４ａが介設されている。電磁クラッチ３４ａは、過給機３４とクランクシャフト１５との間で駆動力を伝達させたり、駆動力の伝達を遮断したりする。後述の如く、ＥＣＵ（Engine Control Unit）など、不図示の制御手段が電磁クラッチ３４ａの遮断及び接続を切り替えることによって、過給機３４のオンとオフとが切り替わる。つまり、このエンジン１は、過給機３４のオンとオフとを切り替えることにより、燃焼室１６に導入するガスを過給する運転と、燃焼室１６に導入するガスを過給しない運転とを切り替えることができるよう構成されている。
【００６２】
吸気通路３０における過給機３４の下流には、インタークーラ３６が配設されている。インタークーラ３６は、過給機３４において圧縮されたガスを冷却するよう構成されている。この構成例におけるインタークーラ３６は、水冷式とされている。
【００６３】
また、吸気通路３０に組み込まれた各種の装置を結ぶ通路として、吸気通路３０は、エアクリーナ３１よりも下流側に配設され、エアクリーナ３１によって浄化されたガスを過給機３４へ導く第１通路３３と、過給機３４によって圧縮されたガスをインタークーラ３６へ導く第２通路３５と、インタークーラ３６によって冷却されたガスをサージタンク３８へ導く第３通路３７と、を有している。
【００６４】
吸気通路３０において、第１通路３３、第２通路３５、第３通路３７及びサージタンク３８は、ガスの流れ方向に沿って上流側から順に過給機３４及びインタークーラ３６が介設された「主吸気通路」を構成している。以下、主吸気通路に対して符号“３０Ａ”を付す場合がある。主吸気通路３０Ａは、「第１通路部」の例示である。
【００６５】
また、吸気通路３０は、前述の主吸気通路３０Ａとは別に、過給機３４及びインタークーラ３６を迂回するバイパス通路４０が設けられている。詳しくは、バイパス通路４０は、主吸気通路３０Ａにおいて過給機３４上流側から分岐してインタークーラ３６下流側に接続されている。さらに詳しくは、バイパス通路４０は、主吸気通路３０Ａにおいてスロットルバルブ３２下流側から過給機３４上流側にかけての部分と、サージタンク３８とを互いに接続する。
【００６６】
また、バイパス通路４０には、該バイパス通路４０の流路断面積を変更するエアバイパスバルブ（以下、単に「バイパスバルブ」という）４１が配設されている。バイパスバルブ４１は、バイパス通路４０の流路断面積を変更することによって、バイパス通路４０を流れるガスの流量を調整する。ここで、バイパス通路４０は「第２通路部」の例示であり、バイパスバルブ４１は「第２バルブ」の例示である。
【００６７】
過給機３４をオフにしたとき（つまり、電磁クラッチ３４ａを遮断したとき）には、バイパスバルブ４１を全開にする。これにより、吸気通路３０を流れるガスは、図４の下図に示すように、過給機３４をバイパスしてサージタンク３８に流入し、独立通路３９を介して燃焼室１６に導入される。エンジン１は、非過給、つまり自然吸気によって運転する。
【００６８】
過給機３４をオンにしたとき（つまり、電磁クラッチ３４ａを接続したとき）には、バイパスバルブ４１の開度を適宜調整する。これにより、吸気通路３０において過給機３４を通過したガスの一部は、図４の上図に示すように、バイパス通路４０を通って過給機３４の上流に逆流する。バイパスバルブ４１の開度を調整することによって逆流量を調整することができるから、その逆流量を介して、燃焼室１６に導入するガスの過給圧を調整することができる。この構成例においては、過給機３４とバイパス通路４０とバイパスバルブ４１とによって、過給システムが構成されている。
【００６９】
一方、排気通路５０は、エンジン本体１０の他側面（具体的には、後側の側面）に接続されており、各シリンダ１１の排気ポート１９に連通している。排気通路５０は、燃焼室１６から排出された排気ガスが流れる通路である。詳細な図示は省略するが、排気通路５０の上流部分は、シリンダ１１毎に分岐する独立通路を構成している。それら独立通路の上流端が、各シリンダ１１の排気ポート１９に接続されている。
【００７０】
排気通路５０には、１つ以上の触媒コンバータ５１を有する排気ガス浄化システムが配設されている。触媒コンバータ５１は、三元触媒を含んで構成されている。なお、排気ガス浄化システムは、三元触媒のみを含むものに限らない。
【００７１】
吸気通路３０と排気通路５０との間には、外部ＥＧＲシステムを構成するＥＧＲ通路５２が接続されている。ＥＧＲ通路５２は、既燃ガスの一部を吸気通路３０に還流させるための通路である。詳しくは、ＥＧＲ通路５２の上流端は、排気通路５０における触媒コンバータ５１の下流に接続されている。一方、ＥＧＲ通路５２の下流端は、吸気通路３０における過給機３４の上流かつスロットルバルブ３２の下流に接続されている。
【００７２】
ＥＧＲ通路５２には、水冷式のＥＧＲクーラ５３が配設されている。ＥＧＲクーラ５３は、既燃ガスを冷却するよう構成されている。ＥＧＲ通路５２を流れる既燃ガスの流量は、ＥＧＲバルブ５４によって調整されるよう構成されている。ＥＧＲバルブ５４は、図１の紙面上では、ＥＧＲ通路５２上に配設されているように図示されているものの、実際の構成では、後述の如くバイパス通路４０上に配設されている。ＥＧＲバルブ５４の開度を調整することによって、冷却された既燃ガス、つまり外部ＥＧＲガスの還流量を調整することができる。
【００７３】
この構成例において、ＥＧＲシステム５５は、ＥＧＲ通路５２及びＥＧＲバルブ５４を含んで構成されている外部ＥＧＲシステムと、前述した吸気電動Ｓ−ＶＴ２３及び排気電動Ｓ−ＶＴ２４を含んで構成されている内部ＥＧＲシステムとによって構成されている。
【００７４】
また、エンジン１には、前述の燃料ポンプ６５以外にも、各種の補機が付設されている。このエンジン１は、そうした補機として、電気系統で使用する交流電流を発生するオルタネータ９１と、空調用のエアコンディショナ９２と、冷却水を循環させるウォータポンプ（不図示）と、を備えている。
【００７５】
図２に示すように、燃料ポンプ６５は、エンジン本体１０における左端側の前部に取り付けられている。対して、オルタネータ９１及びエアコンディショナ９２は、エンジン本体１０における右端側の前部に取り付けられている。オルタネータ９１とエアコンディショナ９２は、上方からこの順で並んでいる。また、オルタネータ９１の上方には、過給機３４の駆動プーリ３４ｄが配置されている。詳細は省略するが、この駆動プーリ３４ｄには、過給機３４を駆動するためのタイミングベルトが巻き掛けられるようになっている。
【００７６】
（吸気通路の構成）
以下、吸気通路３０の要部の構成について詳細に説明する。
【００７７】
図５は、吸気通路３０を正面から見て示す図である。また、図６は、吸気通路３０を左側から見て示す図であり、図７は、吸気通路３０を上側から見て示す図である。さらに、図８は、吸気通路３０の縦断面図であり、図９は、吸気通路３０の横断面図である。
【００７８】
吸気通路３０を構成する各部は、いずれもエンジン本体１０の前側、具体的には、シリンダヘッド１３及びシリンダブロック１２の前面に沿うように配置されている。
【００７９】
また、前述のように、吸気通路３０は、ガスを導く複数の通路（具体的には、第１通路３３、第２通路３５、第３通路３７、サージタンク３８及び独立通路３９）と、過給機３４やインタークーラ３６等の装置と、これらの装置を迂回するバイパス通路４０とが組み合わされて構成されている。図５〜図８に示すように、吸気通路３０を構成する主吸気通路３０Ａは、バイパス通路４０の上方に配置されている。
【００８０】
最初に、これらの構成要素の概略的なレイアウトについて説明する。
【００８１】
図５〜図７に示すように、過給機３４は、サージタンク３８を挟んでエンジン本体１０に対して反対側に対向して配置されている。過給機３４の後面とエンジン本体１０の前面との間には、サージタンク３８の寸法に応じた隙間が空いている。第１通路３３は、過給機３４の左端側において気筒列方向に沿って延設されており、過給機３４の左端に接続されている。また、過給機３４とインタークーラ３６とは、この順番で上下に並んでおり、同方向に隣接している。第２通路３５は、過給機３４の前部とインタークーラ３６の前部とを接続するように、上下に延設されている。サージタンク３８は、過給機３４とエンジン本体１０との間に配置されており、吸気ポート１８の上流端部に対して、複数の独立通路３９を挟んで反対側に対向して配置されている。第３通路３７は、インタークーラ３６及び過給機３４と、エンジン本体１０との間の隙間を縫うように延設されており、インタークーラ３６がサージタンク３８よりも下方に位置するように、インタークーラ３６の後部とサージタンク３８の底部とを接続している。バイパス通路４０は、第１通路３３の途中から分岐して上方へ延びた後、エンジン本体１０の内方（右方）へ向かって延びるように形成されており、下流側において２股に分岐した上でサージタンク３８の上部に接続されている。
【００８２】
また、図５から見て取れるように、ＥＧＲバルブ５４とバイパスバルブ４１は、気筒列方向においては過給機３４とスロットルバルブ３２との間に配置されている。詳しくは、ＥＧＲバルブ５４は、スロットルバルブ３２に対して右斜め上方に配置されている一方、バイパスバルブ４１は、ＥＧＲバルブ５４に対して実質的に右方、かつ過給機３４におけるガスの吸入部（この構成例においては、過給機３４の左端部）に対して左斜め上方に配置されている。このように、ＥＧＲバルブ５４及びバイパスバルブ４１は、双方とも、気筒列方向において、スロットルバルブ３２と過給機３４の左端部との間に位置するようにレイアウトされている。
【００８３】
詳しくは後述するが、このエンジン１は、ＥＧＲバルブ５４及びバイパスバルブ４１をスロットルバルブ３２に近接させることができるように構成されており、そうした集約化を以て、前述の如きレイアウトが実現されている。
【００８４】
このようなレイアウトとすると、例えば過給機３４の直上方にＥＧＲバルブ５４及びバイパスバルブ４１を配置した構成と比較して、車高方向におけるエンジン１の寸法を短くすることができる。そのことで、図５〜図６に示すように、車両前後方向におけるエンジン１の寸法を長くすることなく、エンジン１とボンネットＢとの間隔を、より十分に確保することが可能となる（図５の間隔Ｈを参照）。
【００８５】
なお、過給機３４の直上方にＥＧＲバルブ５４及びバイパスバルブ４１を配置したとしても、過給機３４の取付位置を直下方に移動させれば、エンジン１とボンネットＢとの間隔を広げることができるものと考えられる。しかし、前述のように、サージタンク３８は、吸気ポート１８の上流端部に対して、複数の独立通路３９を挟んで反対側に対向して配置されているところ、過給機３４を下方に移動させてしまうと、サージタンク３８から吸気ポート１８に至る流路長が長くなってしまうため、ガスの応答性という点で改良の余地が残る。またそもそも、図５に示すように、過給機３４を下方に移動させるためには、過給機３４と補機との干渉（具体的には、駆動プーリ３４ｄとオルタネータ９１との干渉）を避ける必要もあるため、エンジン１全体のレイアウトを変更せねばならず、手間が掛かり不都合である。
【００８６】
対して、前述のレイアウトは、そうした手間を省くという点においても有効である。以下、スロットルバルブ３２、バイパスバルブ４１及びＥＧＲバルブ５４の集約化に関係するレイアウトについて詳細に説明するべく、吸気通路３０を構成する各部の構成を順番に説明する。
【００８７】
第１通路３３は、スロットルバルブ３２が配設され、気筒列方向の一側から他側（具体的には、左側から右側）に向かって延びるよう構成されている。具体的に、第１通路３３は、図８に示すように、気筒列方向（左右方向）に延びる管状に形成されており、その上流側部分（左側）部分は、スロットルバルブ３２が内蔵されたスロットルボディ３３ａによって構成されている。スロットルボディ３３ａは、金属製の短筒状に形成されており、両端の開口を左右に向けた姿勢で、エンジン本体１０の前面に対して左方かつ前方に位置するように配置されている。スロットルボディ３３ａの上流端（左端）には、不図示の通路を介してエアクリーナ３１が接続されている一方、スロットルボディ３３ａの下流端（右端）には、第１通路３３の上流側（左側）部分である第１通路本体３３ｂが接続されている。
【００８８】
第１通路本体３３ｂは、図８に示すように、スロットルボディ３３ａを過給機３４に接続するように構成されている。詳しくは、第１通路本体３３ｂは、両端の開口を左右に向けた長筒状に構成されている。第１通路本体３３ｂは、エンジン本体１０の前方において、スロットルボディ３３ａと略同軸になるように配置されている。さらに詳しくは、第１通路本体３３ｂは、気筒列方向の一側から他側（具体的には、左側から右側）に向かうにつれて、次第に拡径するように形成されている。第１通路本体３３ｂの上流端（左端）には、前述のようにスロットルボディ３３ａの下流端が接続されている一方、その下流端（右端）には過給機３４の吸入部が接続されている。
【００８９】
また、第１通路本体３３ｂには、バイパス通路４０に接続される分岐部３３ｄも開口している。この分岐部３３ｄは、第１通路本体３３ｂの上面に形成されており、バイパス通路４０の上流側部分（後述の曲管部４５）が接続されている。すなわち、この分岐部３３ｄは、図８から見て取れるように、第１通路３３（ひいては主吸気通路３０Ａ）において、スロットルバルブ３２に対して前述の他側（右側）に設けられている。
【００９０】
よって、エアクリーナ３１で浄化されて第１通路３３へ流入した新気は、スロットルバルブ３２を通過して第１通路本体３３ｂへ至る。この新気は、自然吸気時には、前述の分岐部３３ｄを介してバイパス通路４０へ流入する一方、過給時には、バイパス通路４０を逆流したガスと合流しつつ、第１通路本体３３ｂの下流端から過給機３４に吸い込まれるようになっている（図４も参照）。
【００９１】
−バイパス通路の構成−
以下、バイパス通路４０の構成について詳細に説明する。
【００９２】
図８に示すように、バイパス通路４０は、主吸気通路３０Ａ（具体的には第１通路３３）のうち、スロットルバルブ３２に対して前記他側（右側）に位置する部分（つまり、前述の分岐部３３ｄ）に接続されている。
【００９３】
具体的に、図８に示すように、バイパス通路４０は、第１通路本体３３ｂに開口した分岐部３３ｄから左斜め上方に向かって延びた後に、右方に向かって略ストレートに延びる。バイパス通路４０は、右方に向かって延びた部分がサージタンク３８の中央付近（具体的には、気筒列方向における中央付近）に至ると、斜め下後方に向かうように向きを変えた後に、２股に分岐する。分岐した各々が、サージタンク３８の上面に接続されるようになっている。
【００９４】
ここで、バイパス通路４０は、流れ方向に沿って上流側から順に、分岐部３３ｄから流入したガスの流れ方向を変更する曲管部４５と、バイパスバルブ４１が内蔵されたバルブボディ４１ａと、バルブボディ４１ａを通過したガスを右方に向かって導く直管部４３と、直管部４３を通過したガスを斜め下後方に向かって導いた後、２股に分岐してサージタンク３８に接続される分岐管部４４とから構成されている。
【００９５】
曲管部４５の下流側にバルブボディ４１ａが配置されていることを考慮すると、ＥＧＲ通路５２の下流端部は、バイパス通路４０においてバイパスバルブ４１の上流側に接続されることになる。また、曲管部４５においてＥＧＲ通路５２の下流端部が接続された部分の下壁面４５ａは、下方に向かって凹むように形成されている。この下壁面４５ａは、水分を受け止める水受構造を構成している。
【００９６】
ここで、スロットルバルブ３２、ＥＧＲバルブ５４及びバイパスバルブ４１の集約化を実現するべく、バイパス通路４０は、主吸気通路３０Ａに対する接続箇所としての分岐部３３ｄから左側に向かって延びた後、右側に向かって折り返して延びるよう構成されているとともに、ＥＧＲバルブ５４は、バイパス通路４０において右側に向かって延びる部分（以下、「並列通路部」と呼称するとともに、符号“４０Ｂ”を付す）のうち、分岐部３３ｄから左側に向かって延びる部分（以下、「中継通路部」と呼称するとともに、符号“４０Ａ”を付す）に対して気筒列方向においてオーバーラップする部位（図８の区間Ｉを参照）に配置されている。
【００９７】
詳しくは、バイパス通路４０を構成する中継通路部４０Ａは、図８に示すように、分岐部３３ｄから離間するに伴って右側から左側に向かうよう、主吸気通路３０Ａの第１通路３３に対して斜めに傾斜して延びている。対して、並列通路部４０Ｂは、中継通路部４０Ａの左端部に接続され、右側に向かって延びるようになっている。ここで、中継通路部４０Ａは、該中継通路部４０Ａにおける中心軸方向（直線Ｌ２を参照）が、第１通路３３における中心軸方向（直線Ｌ１を参照）と、並列通路部４０Ｂにおける中心軸方向（直線Ｌ３を参照）との双方に対して鋭角（図８の角度θ１とθ２を参照）となるように構成されている。
【００９８】
なお、この構成例において、第１通路３３における中心軸方向は、スロットルバルブ３２を通過して過給機３４へ向かうガスの流れ方向（特に、ガスの主流の流れ方向）を指す。また、中継通路部４０Ａにおける中心軸方向は、並列通路部４０Ｂから中継通路部４０Ａを介して第１通路３３へ向かうガスの流れ方向（特に、ガスの主流の流れ方向）を指す。そして、並列通路部４０Ｂにおける中心軸方向は、中継通路部４０Ａから並列通路部４０Ｂを介してサージタンク３８へ向かうガスの流れ方向（特に、ガスの主流の流れ方向）を指す。
【００９９】
なお、ＥＧＲバルブ５４との相対位置関係に着目すると、図８に示すように、中継通路部４０Ａは、上下方向において、第１通路３３とＥＧＲバルブ５４との間を通るように延びていることも見て取れよう。
【０１００】
この構成例においては、中継通路部４０Ａは、曲管部４５の一部によって構成されている一方、並列通路部４０Ｂは、曲管部４５の他部と、バルブボディ４１ａと、直管部４３とによって構成されている。
【０１０１】
以下、バイパス通路４０を構成する各部の構成について、詳細に説明する。
【０１０２】
曲管部４５は、分岐部３３ｄから左斜め上方へ向かって延びた後、右方へ向かって略ストレートに延びる筒状に形成されており、第１通路３３（ひいては第１通路部としての主吸気通路３０Ａ）の上方位置において、下方と右方とに開口を向けた姿勢で配置されている。
【０１０３】
曲管部４５において、分岐部３３ｄから左斜め上方へ延びる部分が、前述の中継通路部４０Ａを構成している。この部分は、右斜め下方へ向かうにつれて、次第に拡径するようになっている。そのような構成とすることで、分岐部３３ｄの開口面積を拡大する上で有利になる。
【０１０４】
一方、曲管部４５において右方へ向かって略ストレートに延びる部分が、前述の並列通路部４０Ｂを構成している。曲管部４５において、並列通路部４０Ｂを構成する部分は、中継通路部４０Ａを構成する部分に対して、気筒列方向においてオーバーラップしている。図８〜図９に示すように、並列通路部４０Ｂを構成する部分には、ＥＧＲバルブ５４が配設されている。
【０１０５】
よって、曲管部４５に流入したガスは、左斜め上方へ向かって流れた後、曲管部４５の折り返しに従って流れの向きが変更される。その結果、曲管部４５を流れるガスは、気筒列方向の外側から内方（左側から右方）に向かって流れる。曲管部４５の上流端（下端）には、既に述べたように、分岐部３３ｄを介して第１通路本体３３ｂが接続されている一方、曲管部４５の下流端（右端）には、バルブボディ４１ａの上流端（左端）が接続されている。
【０１０６】
バルブボディ４１ａは、短筒状に形成されており、図８に示すように、第１通路３３に対して上方、かつ過給機３４に対して左方において、両端の開口を左右に向けた姿勢で配置されている。バルブボディ４１ａの上流端には、既に述べたように曲管部４５の下流端が接続されている一方、バルブボディ４１ａの下流端（右端）には、直管部４３の上流端（左端）が接続されている。
【０１０７】
直管部４３は、気筒列方向の一側から他側（具体的には、左側から右側）へ向かって延びる長筒状に形成されている。直管部４３は、図８等から見て取れるように、第１通路３３及び過給機３４の上方位置において、両端の開口を左右に向けた姿勢で配置されている。直管部４３の上流端には、既に述べたようにバルブボディ４１ａの下流端が接続されている一方、直管部４３の上流端（右端）には、分岐管部４４の上流端（左端）が接続されている。
【０１０８】
分岐管部４４は、エルボ状に曲折された曲折通路４４ａと、その曲折通路４４ａの下流端からトーナメント状に分岐した２本の分岐通路４４ｂ、４４ｃとから構成されており、過給機３４及びサージタンク３８の上方位置において、曲折通路４４ａの上流端を左方に向けて且つ、分岐した２本の分岐通路４４ｂ、４４ｃを両方とも斜め下後方に向けた姿勢で配置されている。
【０１０９】
２本の分岐通路４４ｂ、４４ｃの流路長は、実質的に同じであり、分岐した一方の分岐通路である第１分岐通路４４ｂは、分岐箇所から気筒列方向に沿って右方へ延びた後、斜め下後方に向かうように曲折されている。対して、分岐した他方の分岐通路である第２分岐通路４４ｃは、分岐箇所から気筒列方向に沿って左方へ延びた後、斜め下後方に向かうように曲折されている。２本の分岐通路４４ｂ、４４ｃの各々の下流端部は、前述の如く、サージタンク３８の上面に接続されている。
【０１１０】
自然吸気時において、バイパス通路４０に流入したガスは、該バイパス通路４０を成す各部を通過して各シリンダ１１へ至る。つまり、スロットルバルブ３２を通過したガスは、バイパスバルブ４１の開閉状況に応じて、第１通路３３の途中からバイパス通路４０の曲管部４５に流入する。曲管部４５を通過してバルブボディ４１ａに流入したガスは、図７の矢印に示すように、右方へ向かって流れる。
【０１１１】
続いて、バルブボディ４１ａを通過したガスは、矢印に示すように、直管部４３に沿って右方へ流れた後、分岐管部４４に流入する。そして、他の矢印に示すように、分岐管部４４に流入したガスは、曲折通路４４ａを通過した後、第１分岐通路４４ｂと第２分岐通路４４ｃとに分配されて、分配された各々がサージタンク３８に流入する。サージタンク３８に流入したガスは、独立通路３９を介して各シリンダ１１の吸気ポート１８へ供給される。
【０１１２】
対して、過給時においては、サージタンク３８からバイパス通路４０に逆流したガスは、バイパス通路４０の各部を自然吸気時とは逆向きに通過して、第１通路３３に流出する。
【０１１３】
また、前述のように、バイパス通路４０を構成する曲管部４５には、ＥＧＲ通路５２の下流端部が接続されている。したがって、バイパス通路４０には、第１通路３３から流入するガスや、サージタンク３８から逆流するガスばかりでなく、外部ＥＧＲガスも流れるようになっている。
【０１１４】
−ＥＧＲ通路の構成−
以下、ＥＧＲ通路５２の構成について詳細に説明する。
【０１１５】
図１０は、ＥＧＲ通路５２を左側から見て示す図であり、図１１は、ＥＧＲ通路５２を上側から見て示す図である。また、図１２は、ＥＧＲ通路５２の下流端部を斜め後側から見て示す図である。そして、図１３は、吸気通路３０におけるＥＧＲガスの流れを過給時と自然吸気時とで比較して示す図である。
【０１１６】
図１０に示すように、ＥＧＲ通路５２は、触媒コンバータ５１が介設された排気通路５０から分岐して、下流端部が吸気通路３０に接続されている。詳しくは、ＥＧＲ通路５２は、排気通路５０における触媒コンバータ５１の下流側から分岐して、バイパス通路４０におけるバイパスバルブ４１の上流側（具体的には曲管部４５）に接続されている（図１も参照）。
【０１１７】
また、既に説明したように、ＥＧＲ通路５２には、ＥＧＲ通路５２を通過するガスを冷却するＥＧＲクーラ５３が介設されている。以下、ＥＧＲ通路５２において、排気通路５０とＥＧＲクーラ５３とを相互に接続する部分を上流側ＥＧＲ通路５２ａと呼称する一方、ＥＧＲクーラ５３とバイパス通路４０とを相互に接続する部分を下流側ＥＧＲ通路５２ｂと呼称する。
【０１１８】
具体的に、上流側ＥＧＲ通路５２ａは、図１０〜図１２に示すように、排気通路５０の左側部に沿って斜め上前方へ延びた後、エンジン本体１０の左側部と干渉しないように、左方へ方向転換をする。そして、上流側ＥＧＲ通路５２ａは、再び斜め上前方へ延び、ＥＧＲクーラ５３に至る。上流側ＥＧＲ通路５２ａの上流端には、既に述べたように排気通路５０における触媒コンバータ５１の下流側部分が接続されている一方、上流側ＥＧＲ通路５２ａの下流端（前端）には、ＥＧＲクーラ５３の上流端（後端）が接続されている。
【０１１９】
ＥＧＲクーラ５３は、前後方向に対して若干斜めに傾斜した角筒状に形成されており、図１０に示すように、少なくとも車両搭載状態にあっては、上下方向において吸気ポート１８と略同じ位置において、両端の開口を斜め前後方向に向けた姿勢で配置されている。ＥＧＲクーラ５３の上流端は、斜め下後方へ指向しており、既に説明したように上流側ＥＧＲ通路５２ａの下流端が接続されている。一方、ＥＧＲクーラ５３の下流端（前端）は、斜め上前方へ指向しており、下流側ＥＧＲ通路５２ｂの上流端（後端）が接続されている。
【０１２０】
下流側ＥＧＲ通路５２ｂは、ガスの流れ方向に沿って上流側から下流側に向かうにつれて、下方から上方へ向かって延びている。詳しくは、図１０〜図１２に示すように、下流側ＥＧＲ通路５２ｂは、エンジン本体１０の左側部に沿って斜め上前方へ延びた後、略前方へ向かって方向転換をするように構成されている。
【０１２１】
そして、下流側ＥＧＲ通路５２ｂの下流端部は、略前方へ向かって延び、バイパス通路４０の曲管部４５に対して後方から繋がっている。この下流端部は、ＥＧＲバルブ５４によって開閉されるようになっている。なお、図示は省略するが、下流側ＥＧＲ通路５２ｂの下流端部は、吸気ポート１８（特に、吸気ポート１８の上流端部）に対して上方に位置するように配置されている。
【０１２２】
混合気の燃焼に伴って、燃焼室１６から排気通路５０へ排出された既燃ガスは、触媒コンバータ５１を通過する。そして、触媒コンバータ５１を通過した既燃ガスの一部は、ＥＧＲ通路５２へ導入される。ＥＧＲ通路５２へ導入された既燃ガスは、上流側ＥＧＲ通路５２ａと、ＥＧＲクーラ５３と、下流側ＥＧＲ通路５２ｂを順番に通過して、外部ＥＧＲガスとしてバイパス通路４０へ導入される。外部ＥＧＲガスの導入量は、ＥＧＲバルブ５４の開度を介して調整される。
【０１２３】
自然吸気時においては、バイパス通路４０へと流入した外部ＥＧＲガスは、スロットルバルブ３２を通過して第１通路本体３３ｂからバイパス通路４０へ流入した新気（図１３の下図の矢印Ｂ２を参照）と合流し、同下図の矢印Ｂ１に示すように、バイパス通路４０を上流側から下流側へ流れる。新気と合流した外部ＥＧＲガスは、サージタンク３８へ流入し、独立通路３９及び吸気ポート１８を順番に通過して燃焼室１６へ至る。
【０１２４】
一方、過給時においては、バイパス通路４０へと流入した外部ＥＧＲガスは、図１３の上図の矢印Ａ１に示すように、サージタンク３８からバイパス通路４０へ逆流したガス（矢印Ａ２を参照）と合流し、バイパス通路４０を下流側から上流側へと逆流する。逆流して第１通路本体３３ｂへ流入したガスは、スロットルバルブ３２を通過して第１通路本体３３ｂへ流入した新気（矢印Ａ３を参照）と合流し、過給機３４に吸入される。
【０１２５】
（吸気システムのコンパクト化に関する構成）
図８に示すように、バイパス通路４０にＥＧＲバルブ５４を設ける場合がある。ここで、ＥＧＲバルブ５４の取付箇所としては、例えば、前述の中継通路部４０Ａが考えられる。しかし、中継通路部４０Ａを取付箇所とした場合、外部ＥＧＲガスに含まれる水分に起因した凝縮水が第１通路３３に流れ落ちる可能性がある。通常、凝縮水は、燃焼室１６において燃焼させるところ、第１通路３３に流れ落ちてしまっては、仮に凝縮水が第１通路３３を通過するように構成した場合、その凝縮水は過給機３４やインタークーラ３６を通過しなければならず、過給機３４に対する水分の付着等を考慮すると望ましくない。一方、第１通路３３に流れ落ちた凝縮水をバイパス通路４０に再導入しようとした場合、凝縮水を上方に持ち上げるのに要する位置エネルギの分だけ、凝縮水をスムースに導く上で不都合となる。
【０１２６】
そこで、中継通路部４０Ａではなく、右側に向かって略ストレートに延設された並列通路部４０ＢにＥＧＲバルブ５４を設けることが考えられる。こうした構成は、特に自然吸気時において、並列通路部４０Ｂからサージタンク３８を介して燃焼室１６に至るよう、凝縮水をスムースに導く上で有効となる。近年、そうしたエンジン１において、コンパクト化という観点から、前述のように、スロットルバルブ３２とＥＧＲバルブ５４とを可能な限り近接させることが要求されている。
【０１２７】
対して、このエンジン１においては、図８に示すように、バイパス通路４０は、気筒列方向において、一旦、分岐部３３ｄから左側に向かって延びた後、折り返して、左側から右側に向かって延びている。そうすると、区間Ｉに示すように、並列通路部４０Ｂのうち、中継通路部４０Ａに対してオーバーラップする部位は、気筒列方向においてスロットルバルブ３２に対して近接するようになる。よって、そうした部位にＥＧＲバルブ５４を配置することで、並列通路部４０ＢにＥＧＲバルブ５４を配置しながらも、そのＥＧＲバルブ５４とスロットルバルブ３２とを気筒列方向において近接させることが可能になる。
【０１２８】
また、図８に示すように、分岐部３３ｄ及びＥＧＲバルブ５４は、気筒列方向において、スロットルバルブ３２と、過給機３４の左端部との間に配置されている。
【０１２９】
過給機３４を設けるときには、ガスの応答性を高めるべく、スロットルバルブ３２から過給機３４の吸入部（左端部）へ至る流路長を可能な限り短くすることが求められる。そうした要求を満足するためには、吸気システムのレイアウトに工夫を凝らし、過給機３４とスロットルバルブ３２とを近接させることが考えられるものの、そのような構成を実現するためには、ＥＧＲバルブ５４と過給機３４との干渉を抑制することが求められる。
【０１３０】
前述の如く、気筒列方向において、スロットルバルブ３２と過給機３４との間にＥＧＲバルブ５４が配置されている。このことは、ＥＧＲバルブ５４と過給機３４とを干渉させないようにする上で有効である。
【０１３１】
すなわち、図８に示すように、スロットルバルブ３２とＥＧＲバルブ５４とを可能な限り近接させることができるから、スロットルバルブ３２と過給機３４とを近接させようとしたときに、過給機３４とＥＧＲバルブ５４との干渉を抑制することができる。これにより、スロットルバルブ３２から過給機３４へ至る流路長を短く構成し、ひいてはガスの応答性を高めることができる。
【０１３２】
また、図８に示すように、ＥＧＲバルブ５４は、並列通路部４０Ｂの左端部に配置されている。外部ＥＧＲガスを利用する場合、その応答性を高めるためには、スロットルバルブ３２からＥＧＲバルブ５４へ至る流路長を可能な限り短くすることが求められる。
【０１３３】
対して、図８に示す構成は、スロットルバルブ３２と、ＥＧＲバルブ５４とを可能な限り近接させることができる。これにより、スロットルバルブ３２からＥＧＲバルブ５４へ至る流路長を可能な限り短く構成し、ひいては外部ＥＧＲガスの応答性を高めることができる。
【０１３４】
また、図８に示すように、曲管部４５において中継通路部４０Ａを構成している部分は、右斜め下方へ向かうにつれて、次第に拡径するようになっている。そのような構成とすることで、分岐部３３ｄの開口面積を拡大する上で有利になる。そのことは、分岐部３３ｄを介したガスの流入がスムースになる。
【０１３５】
また、図８に示すように、ＥＧＲバルブ５４は、スロットルバルブ３２に近接するように、気筒列方向の左寄りに配置されている。このような配置とすると、同図に示すように、ＥＧＲバルブ５４と過給機３４との間に、バイパスバルブ４１を配置するためのスペースを設けることができる。これにより、スロットルバルブ３２、バイパスバルブ４１及びＥＧＲバルブ５４の集約化を図り、ひいてはエンジン１のコンパクト化を図ることができる。
【０１３６】
《他の実施形態》
前記実施形態では、第２バルブとしてのＥＧＲバルブ５４に関する構成を例示したが、そうした構成には限られない。例えば、バイパスバルブ４１を第２バルブとしてもよい。このように構成した場合、バイパスバルブ４１とスロットルバルブ３２とを集約させることが可能になる。
【０１３７】
また、前記実施形態では、主吸気通路３０Ａの上方にバイパス通路４０を配置する構成を例示したが、そうした構成には限られない。例えば、主吸気通路３０Ａの前方や下方にバイパス通路４０を配置してもよい。
【符号の説明】
【０１３８】
１      エンジン
１６    燃焼室
３０    吸気通路
３０Ａ  主吸気通路（第１通路部）
３２    スロットルバルブ
３４    過給機
４０    バイパス通路（第２通路部）
４０Ａ  中継通路部
４０Ｂ  並列通路部
５０    排気通路
５２    ＥＧＲ通路
５４    ＥＧＲバルブ（第２バルブ）
【図１】
2019038920.tif 000003
【図２】
2019038920.tif 000004
【図３】
2019038920.tif 000005
【図４】
2019038920.tif 000006
【図５】
2019038920.tif 000007
【図６】
2019038920.tif 000008
【図７】
2019038920.tif 000009
【図８】
2019038920.tif 000010
【図９】
2019038920.tif 000011
【図１０】
2019038920.tif 000012
【図１１】
2019038920.tif 000013
【図１２】
2019038920.tif 000014
【図１３】
2019038920.tif 000015
【国際調査報告】
2019038920.tif 000016
2019038920.tif 000017
2019038920.tif 000018
2019038920.tif 000019